(57)【要約】【課題】ベール反転機構の移動部材が変形し難いスピニングリールを提供する。【解決手段】移動部材１６１は、断面が円形の円柱部Ｐ１（一部屈曲している）と、断面が丸角長方形の扁平部Ｑ１（一部屈曲している）と、を備える。扁平部Ｑ１は、円柱部Ｐ１よりも平らで、幅広（幅Ｗ１＜Ｗ２）である。扁平部Ｑ１は、第２中間部１６１Ｅから第３中間部１６１Ｇにわたって形成されている。具体的に、第２中間部１６１Ｅの全部、第２屈曲部１６１Ｄの全部、及び、第３中間部１６１Ｇの一部が、扁平部Ｑ１となっている。また、扁平部Ｑ１の幅方向、つまり、扁平部Ｑ１が幅広となっている方向は、第２中間部１６１Ｅが延びる方向及び第３中間部１６１Ｇが延びる方向を含む面内（前記同一平面内）方向である。【選択図】図３
2019205360.tif 000002
【特許請求の範囲】
【請求項１】
前方に釣り糸を繰り出す魚釣用のスピニングリールであって、
ハンドルが取り付けられたリール本体と、
前記ハンドルの回転に応じて前記リール本体に対して回転可能なロータと、
前記ロータに取り付けられ、前記釣り糸をスプールに巻き取る第１姿勢と、前記釣り糸を前記スプールから前記前方に繰り出す第２姿勢とに揺動するベールアームと、
前記ベールアームが前記第１姿勢のときに第１位置に位置し、前記ベールアームが前記第２姿勢のときに前記第１位置よりも後方の第２位置に位置し、前記第２位置から前記第１位置に移動することで前記ベールアームを前記第２姿勢から前記第１姿勢に変化させる移動部材と、を備え、
前記移動部材は、前後方向に直交する直交方向に延びた第１部分と、前記前後方向に延びた第２部分と、一端が前記第１部分に繋がり、他端が前記第２部分に繋がった屈曲形状の第３部分と、を備える棒状部材であり、
前記移動部材のうちの少なくとも前記第３部分は、当該移動部材の他の部分よりも平たくかつ幅広に形成された扁平部を備える、
スピニングリール。
【請求項２】
前記扁平部は、少なくとも、前記第３部分と前記第１部分とにわたる部分に形成されている、
請求項１に記載のスピニングリール。
【請求項３】
前記扁平部は、少なくとも、前記第３部分と前記第２部分とにわたる部分に形成されている、
請求項１又は２に記載のスピニングリール。
【請求項４】
前記扁平部は、前記前後方向及び前記直交方向を含む面方向に幅広である、
請求項１から３のいずれか１項に記載のスピニングリール。
【請求項５】
前記リール本体に設けられ、前記第２位置にある前記移動部材が前記ロータとともに回転したときに、前記第１部分が当接して前記移動部材を前記第１位置に向けて移動させる被当接部と、
前記移動部材が前記第１位置に向けて移動したときに、前記ベールアームを前記第２姿勢から前記第１姿勢に戻すリターン装置と、をさらに備える、
請求項１から４のいずれか１項に記載のスピニングリール。
【請求項６】
前記移動部材は、第１端部及び第２端部と、一端が前記第２部分に繋がり、他端が前記第２端部と繋がった屈曲形状の第４部分と、を備え、
前記リール本体は、前記第２位置にあるときの前記移動部材の前記第２端部と係合して当該移動部材を制動する制動部を備える、
請求項１から５のいずれか１項に記載のスピニングリール。
【発明の詳細な説明】
【技術分野】
【０００１】
本発明は魚釣りに使用されるスピニングリールに関する。
【背景技術】
【０００２】
従来からスピニングリールには、ベールアームを反転させるベール反転機構が設けられている。ベール反転機構は、特許文献１に開示されているように、ベールアームの姿勢に応じて第１位置と当該第１位置よりも後方の第２位置とに位置することが可能な移動部材（特許文献１では、移動部材５１）と、第２位置でロータとともに回転する移動部材が当接して当該移動部材を第１位置に向けて移動させる被当接部（特許文献１では、切換部材５２）と、移動部材が第１位置に向けて移動したときに、ベールアームを第２姿勢から第１姿勢に戻すリターン装置（特許文献１では、トグルばね機構５０）と、を備える。
【先行技術文献】
【特許文献】
【０００３】
【特許文献１】特開２００２−３０６０３２号公報
【発明の概要】
【発明が解決しようとする課題】
【０００４】
特許文献１に記載されているように、従来の移動部材は、円柱状の棒状部材を屈曲させた形状を有する。当該移動部材に何らかの力が作用すると、当該移動部材のうちの直線部分よりも屈曲部分が変形しやすい。具体的に、当該屈曲部分がさらに屈曲してしまいやすい。このような不都合は、特に、移動部材を軽量化及び／又は小型化するために細くしたときに、顕著に表れる。
【０００５】
本発明は、移動部材が変形し難いスピニングリールを提供することを目的とする。
【課題を解決するための手段】
【０００６】
本発明に係るスピニングリールは、
前方に釣り糸を繰り出す魚釣用のスピニングリール（例えば、スピニングリール１００）であって、
ハンドルが取り付けられたリール本体（例えば、リール本体１１０）と、
前記ハンドルの回転に応じて前記リール本体に対して回転可能なロータ（例えば、ロータ１４０）と、
前記ロータに取り付けられ、前記釣り糸をスプールに巻き取る第１姿勢（例えば、糸巻取姿勢）と、前記釣り糸を前記スプールから前記前方に繰り出す第２姿勢（例えば、糸開放姿勢）とに揺動するベールアーム（例えば、ベールアーム１５０）と、
前記ベールアームが前記第１姿勢のときに第１位置に位置し、前記ベールアームが前記第２姿勢のときに前記第１位置よりも後方の第２位置に位置し、前記第２位置から前記第１位置に移動することで前記ベールアームを前記第２姿勢から前記第１姿勢に変化させる移動部材（例えば、移動部材１６１）と、を備え、
前記移動部材は、前後方向に直交する直交方向に延びた第１部分（例えば、第２中間部１６１Ｅ）と、前記前後方向に延びた第２部分（例えば、第１中間部１６１Ｃ又は第３中間部１６１Ｇ）と、一端が前記第１部分に繋がり、他端が前記第２部分に繋がった屈曲形状の第３部分（例えば、第２屈曲部１６１Ｄ及び第３屈曲部１６１Ｆ）と、を備える棒状部材であり、
前記移動部材のうちの少なくとも前記第３部分は、当該移動部材の他の部分よりも平たくかつ幅広に形成された扁平部を（例えば、扁平部Ｑ１、Ｑ２、Ｑ３、又は、Ｑ４）備える。
【０００７】
前記扁平部は、少なくとも、前記第３部分と前記第１部分とにわたる部分に形成されている（例えば、図３、図６参照）、
ようにしてもよい。
【０００８】
前記扁平部は、少なくとも、前記第３部分と前記第２部分とにわたる部分に形成されている（例えば、図３、図６参照）、
ようにしてもよい。
【０００９】
前記扁平部は、前記前後方向及び前記直交方向を含む面方向に幅広である、
ようにしてもよい。
【００１０】
前記リール本体に設けられ、前記第２位置にある前記移動部材が前記ロータとともに回転したときに、前記第１部分が当接して前記移動部材を前記第１位置に向けて移動させる被当接部（例えば、固定部材１６３）と、
前記移動部材が前記第１位置に向けて移動したときに、前記ベールアームを前記第２姿勢から前記第１姿勢に戻すリターン装置（例えば、トグルバネ装置１６２）と、をさらに備える、
ようにしてもよい。
【００１１】
前記移動部材は、第１端部（例えば、第１端部１６１Ａ）及び第２端部（例えば、第２端部１６１Ｉ）と、一端が前記第２部分（例えば、第３中間部１６１Ｇ）に繋がり、他端が前記第２端部と繋がった屈曲形状の第４部分（例えば、第４屈曲部１６１Ｈ）と、を備え、
前記リール本体は、前記第２位置にあるときの前記移動部材の前記第２端部と係合して当該移動部材を制動する制動部（例えば、制動部材１１５）を備える、
ようにしてもよい。
【発明の効果】
【００１２】
本発明によれば、移動部材が変形し難いスピニングリールを提供することができる。
【図面の簡単な説明】
【００１３】
【図１】本発明の実施の形態に係るスピニングリールの斜視図。
【図２】本発明の実施の形態に係るスピニングリールのベール反転機構を説明するための、スピニングリールの一部の部材を省略した斜視図。
【図３】図２に示す移動部材の平面図。
【図４】（Ａ）図３のＡ−Ａ断面図、（Ｂ）図３のＢ−Ｂ断面図、（Ｃ）図３のＣ−Ｃ断面図。
【図５】本発明の実施の形態に係るスピニングリールのベール反転機構を説明するための、スピニングリールの一部の部材を省略した図。
【図６】変形例に示す移動部材の平面図。
【図７】変形例に示す移動部材の平面図。
【図８】変形例に示す移動部材の平面図。
【発明を実施するための形態】
【００１４】
以下、本発明の一実施の形態に係る魚釣り用のスピニングリール１００を、図面を参照しながら説明する。以下の説明では、スピニングリール１００を釣竿に取り付けた際の、釣り竿の先端方向（スピニングリール１００から釣り糸を繰り出す方向）を「前」、釣竿の後端方向を「後」、スピニングリール１００から見て釣竿の方向を「上」、その逆方向を「下」、釣竿を持つユーザの「右」及び「左」をそのまま「右」及び「左」という。
【００１５】
（スピニングリール１００の概略構成）
スピニングリール１００は、図１及び図２のように、リール本体１１０と、ハンドル１２０と、スプール１３０と、ロータ１４０と、ベールアーム１５０と、ベール反転機構１６０（図２）と、を備える。
【００１６】
リール本体１１０は、ハンドル１２０の回転を受けて、ロータ１４０をリール本体１１０に対して回転させながらスプール１３０をリール本体１１０に対して前後に移動させる駆動機構を備える。スプール１３０には、釣り糸が巻かれる。ベールアーム１５０は、釣り糸をスプール１３０に巻き取る糸巻取姿勢と、釣り糸をスプール１３０から開放する（繰り出す）糸開放姿勢（図１の姿勢）と、に揺動可能に、ロータ１４０に取り付けられている。ベールアーム１５０は、ロータ１４０とともにリール本体１１０に対して回転する。ベール反転機構１６０は、ベールアーム１５０を糸開放姿勢から糸巻取姿勢に復帰（反転）させるとともに、ベールアーム１５０の姿勢を保持する。
【００１７】
（リール本体１１０）
リール本体１１０は、スピニングリール１００の本体である。リール本体１１０には、ハンドル１２０が取り付けられている。ここでは、ハンドル１２０は、リール本体１１０の左側側部の取付部ＴＫ（ハンドル１２０に隠れているため、図には現れていない）に取り付けられているが、リール本体１１０の右側側部の取付部ＴＫに取り付けられてもよい。なお、左右の取付部ＴＫのうち、図２に示す、ハンドル１２０が取り付けられていない方の取付部ＴＫ（リール本体１１０の右側側部の取付部ＴＫ）は、通常カバーにより覆われるが、図２では、そのカバーが省略されている。
【００１８】
リール本体１１０は、前記の駆動機構の他、第１筐体部材１１１と、第２筐体部材１１２と、を備える。第１筐体部材１１１と、第２筐体部材１１２とは、組み合わさることにより、前記の駆動機構を収容する筐体ＣＳを構成する。第１筐体部材１１１は、釣竿に取り付けられるリールフット１１１Ａを備える。
【００１９】
図２のスプール軸１１３は、リール本体１１０の構成部材であり、前記の駆動機構のうち、ハンドル１２０の回転を受けてスプール１３０を前後方向に移動させるオシレーティング機構を構成する部材である。スプール軸１１３には、スプール１３０が取り付けられている。スプール軸１１３は、前後方向に移動可能である。
【００２０】
リール本体１１０は、さらに、筒状部材１１４（図２）と、制動部材１１５（図２）と、を備える。筒状部材１１４は、筐体ＣＳの前端に固定されている。筒状部材１１４には、制動部材１１５が取り付けられている。これらの詳細については後述する。
【００２１】
（ロータ１４０）
ロータ１４０は、スプール１３０の中心軸（スプール軸１１３の中心軸）と一致する軸を回転軸として回転可能である。ロータ１４０は、ロータ本体１４１と、第１カバー１４２と、第２カバー１４３と、を備える。ロータ本体１４１は、その両端に前後方向に延びている第１アーム１４１Ａ及び第２アーム１４１Ｂを備える。第１カバー１４２は、第１アーム１４１Ａを覆っており、第２カバー１４３は、第２アーム１４１Ｂを覆っている。
【００２２】
（ベールアーム１５０）
ベールアーム１５０は、ベール１５１と、ベール１５１を支持する第１ベール支持部材１５２及び第２ベール支持部材１５３と、を有する。第１ベール支持部材１５２及び第２ベール支持部材１５３は、それぞれ、ベールアーム１５０が糸巻取姿勢と糸開放姿勢とに揺動可能となるように、ロータ１４０の第１アーム１４１Ａ及び第２アーム１４１Ｂに揺動可能に取り付けられている。第１ベール支持部材１５２は、釣り糸を案内するラインローラ１５２Ａを有する。
【００２３】
（ベール反転機構１６０）
ベール反転機構１６０は、ベールアーム１５０を、糸開放姿勢から糸巻取姿勢に復帰（反転）させる機能、及び、ベールアーム１５０の姿勢を保持する機能を有する。ベール反転機構１６０は、移動部材１６１と、トグルバネ装置（リターン装置）１６２と、固定部材（被当接部）１６３と、を有する。
【００２４】
移動部材１６１は、屈曲した形状を有する金属製の棒状部材である。移動部材１６１は、前後方向に移動可能、かつ、ロータ１４０及びベールアーム１５０とともに回転可能に設けられている。移動部材１６１は、必要な剛性が確保されていれば合成樹脂により形成されてもよい。
【００２５】
移動部材１６１は、図３〜図５に示すように、第１端部１６１Ａと、第１屈曲部１６１Ｂと、第１中間部１６１Ｃと、第２屈曲部１６１Ｄと、第２中間部（当接部）１６１Ｅと、第３屈曲部１６１Ｆと、第３中間部１６１Ｇと、第４屈曲部１６１Ｈと、第２端部１６１Ｉと、を備える。
【００２６】
第１端部１６１Ａは、直線形状であり、前後方向に直交する第１直交方向に沿って延びている。第１端部１６１Ａの一端は、第２ベール支持部材１５３が有する円弧状の溝１５３Ａ内に入り、当該溝１５３Ａと係合している。第１端部１６１Ａの他端は、第１屈曲部１６１Ｂの一端と繋がっている。
【００２７】
第１屈曲部１６１Ｂは、９０度に屈曲した形状（ここでは、円弧形状）である。第１屈曲部１６１Ｂの他端は、第１中間部１６１Ｃの一端に繋がっている。
【００２８】
第１中間部１６１Ｃは、直線形状であり、前後方向に沿って延びている。第１中間部１６１Ｃの他端は、第２屈曲部１６１Ｄの一端と繋がっている。第１中間部１６１Ｃは、第２アーム１４１Ｂに設けられた前後方向に延びた案内溝（不図示）内を通っている。これにより、移動部材１６１は、前後方向以外に移動することが制限されている。
【００２９】
第２屈曲部１６１Ｄは、９０度に屈曲した形状（ここでは、円弧形状）である。第２屈曲部１６１Ｄの他端は、第２中間部１６１Ｅの一端に繋がっている。
【００３０】
第２中間部１６１Ｅは、直線形状であり、前後方向に直交するが前記の第１直交方向と異なる第２直交方向（移動部材１６１の回転軌跡を円と見た場合の径方向）に沿って延びている。第２中間部１６１Ｅの他端は、第３屈曲部１６１Ｆの一端と繋がっている。第２中間部１６１Ｅは、固定部材（被当接部）１６３と当接する当接部でもある（詳細は後述）。
【００３１】
第３屈曲部１６１Ｆは、９０度に屈曲した形状（ここでは、円弧形状）である。第３屈曲部１６１Ｆの他端は、第３中間部１６１Ｇの一端に繋がっている。
【００３２】
第３中間部１６１Ｇは、直線形状であり、前後方向に沿って延びている。第３中間部１６１Ｇの他端は、第４屈曲部１６１Ｈの一端と繋がっている。
【００３３】
第４屈曲部１６１Ｈは、９０度に屈曲した形状（ここでは、円弧形状）である。第４屈曲部１６１Ｈの他端は、第２端部１６１Ｉの一端に繋がっている。
【００３４】
第２端部１６１Ｉは、直線形状であり、前記の第２直交方向に沿って延びている。第２第２端部１６１Ｉの他端は、後述の制動部材１１５に係合可能である（詳細は後述）。
【００３５】
移動部材１６１は、第１屈曲部１６１Ｂ〜第２端部１６１Ｉの中心線が同一平面内となるように屈曲している。中心線とは、移動部材１６１を輪切りにしたときの断面（幅方向かつ厚さ方向に沿って切って得られる断面）の中心を通る線をいう。第１端部１６１Ａは、円弧状の溝１５３Ａ内に入り込みやすいよう、前記平面に対して若干傾いている。
【００３６】
移動部材１６１は、断面が円形の円柱部Ｐ１（一部屈曲している）と、断面が丸角長方形の扁平部Ｑ１（一部屈曲している）と、を備える。扁平部Ｑ１は、円柱部Ｐ１よりも平ら（薄い。厚さＤ１＞Ｄ２）で、幅広（幅Ｗ１＜Ｗ２）である。扁平部Ｑ１の中心線は、円柱部Ｐ１の中心線に繋がっている。つまり、扁平部Ｑ１は、円柱部Ｐ１に対して、幅方向に沿って均等に幅広となっている（扁平部Ｑ１と円柱部Ｐ１との幅方向における段差Ａ１＝段差Ａ２）。扁平部Ｑ１は、円柱部Ｐ１に対して、厚み方向に沿って均等に薄くなっている（扁平部Ｑ１と円柱部Ｐ１との厚さ方向における段差Ｂ１＝段差Ｂ２）。
【００３７】
扁平部Ｑ１は、第２中間部１６１Ｅから第３中間部１６１Ｇにわたって形成されている。具体的に、第２中間部１６１Ｅの全部、第２屈曲部１６１Ｄの全部、及び、第３中間部１６１Ｇの一部が、扁平部Ｑ１となっている。また、扁平部Ｑ１の幅方向、つまり、扁平部Ｑ１が幅広となっている方向は、第２中間部１６１Ｅが延びる方向及び第３中間部１６１Ｇが延びる方向を含む面内（前記同一平面内）方向である。
【００３８】
移動部材１６１は、例えば、金型により、円柱部Ｐ１及び扁平部Ｑ１を備えるように形成される。移動部材１６１は、円柱状の棒状部材を屈曲させたあと、扁平部Ｑ１に相当する部分を平押しして形成されてもよい。
【００３９】
トグルバネ装置１６２の一端は、第２ベール支持部材１５３と係合し、他端は、第２カバー１４３に揺動可能に固定されている。トグルバネ装置１６２の一端は、ベールアーム１５０（特に、第２ベール支持部材１５３）の揺動（糸巻取姿勢又は糸開放姿勢への移動）により移動し、それに伴って、トグルバネ装置１６２は前記他端の軸１６２Ａを中心に揺動する（矢印Ｒ２参照）。トグルバネ装置１６２は、バネの付勢力を利用し、ベールアーム１５０を、死点を挟んで糸巻取姿勢と糸開放姿勢とに振り分けて付勢し、かつ、ベールアーム１５０を糸巻取姿勢又は糸開放姿勢に保持する。
【００４０】
固定部材１６３は、リール本体１１０の筐体ＣＳにネジ等により固定されている。固定部材１６３は、その一部が第１筐体部材１１１と第２筐体部材１１２とに挟み込まれて固定されてもよい。固定部材１６３は、第２位置で回転する移動部材１６１の軌道上に設けられている。固定部材１６３は、釣糸巻取方向Ｒ１に沿って徐々に前方向に登っていく傾斜面１６３Ａを備える。釣糸巻取方向Ｒ１は、釣糸がスプール１３０に巻き取られる方向にロータ１４０（移動部材１６１）を回転させる方向である。
【００４１】
（ベール反転機構１６０の動作）
移動部材１６１は、ベールアーム１５０の揺動に応じて第１端部１６１Ａが溝１５３Ａに案内される（内壁に押される）ことにより、図５の矢印Ｒ３の方向（前後方向）に沿って、第１位置（前方）と、第２位置（後方）との間を移動可能である。図５では、第１位置に位置する移動部材１６１を実線で描いており、第２位置に位置する移動部材１６１を一点鎖線で描いている。なお、図５では、移動部材の移動方向等を把握しやすいよう、紙面上下方向を図１等の前後方向とし、紙面左右方向を図１等の上下方向としている。ベールアーム１５０が糸巻取姿勢にあるとき（図１及び図２の状態のとき）、移動部材１６１は、第１位置に位置する。一方、ベールアーム１５０が糸開放姿勢にあるとき、移動部材１６１は、第２位置に位置する。例えば、ベールアーム１５０を糸巻取姿勢から糸開放姿勢に変化させると、移動部材１６１は、第１位置から第２位置に移動する。移動部材１６１は、ハンドル１２０に対する回転操作に連動して、ロータ１４０とともに第１位置又は第２位置で回転する。
【００４２】
図５に示すように、移動部材１６１が第２位置にあるとき、移動部材１６１の第２端部１６１Ｉが、リール本体１１０の制動部材１１５と係合する。
【００４３】
ここで、制動部材１１５について図５を参照して説明すると、制動部材１１５は、リング状の部材であり、円筒部１１５Ａと、円筒部１１５Ａの後端から張り出したフランジ１１５Ｂと、円筒部１１５Ａの外周面から外側に、かつ、フランジ１１５Ｂから前方に突出した複数の突出部１１５Ｃと、を備える。複数の突出部１１５Ｃは、周方向に沿って間隔を空けて並んでいる。隣り合う突出部１１５Ａの間は凹部１１５Ｄとなっている。このような制動部材１１５は、リール本体１１０の筒状部材１１４の外周面に設けられた環状溝１１４Ａに嵌め込まれている。筒状部材１１４は、筒形状の筒状部と、筒状部後端から張り出したフランジとを備え、環状溝１１４Ａは、前記の筒状部の外周面に設けられている。筒状部材１１４は、筐体ＣＳに固定されている。なお、環状溝１１４Ａを備えるように筐体ＣＳを構成してもよい。
【００４４】
移動部材１６１が第１位置から第２位置に移動すると、移動部材１６１の第２端部１６１Ｉが、制動部材１１５の凹部１１５Ｄに入り込む。これにより、移動部材１６１の第２端部１６１Ｉが、リール本体１１０の制動部材１１５と係合する。なお、突出部１１５Ｃの前端は、三角形状になっており、移動部材１６１が、第１位置から第２位置に移動する際、第２端部１６１Ｉが突出部１１５Ｃに当たっても、突出部１１５Ｃの三角形状の前端により、第２端部１６１Ｉは、スムーズに凹部１１５Ｄに入り込むことができる。
【００４５】
移動部材１６１が第２位置にあるとき、つまり、第２端部１６１Ｉが制動部材１１５と係合しているときに、ロータ１４０とともに移動部材１６１が回転すると、制動部材１１５は、凹部１１５Ｄの内壁（突出部１１５Ｃ）が第２端部１６１Ｉに押されて、移動部材１６１とともに回転する。このとき、制動部材１１５は、筒状部材１１４に対して摺動する。この摺動により発生する摩擦力により、制動部材１１５は制動され、従って、回転するロータ１４０が移動部材１６１を介して制動される。制動部材１１５は、適当な摩擦力が生じるよう、適宜の合成樹脂等から形成される。また、制動部材１１５は、摩擦力の向上のため、バネ又はゴム等の弾性体により、環状溝１１４Ａの内壁に押し付けられてもよい。
【００４６】
移動部材１６１の移動部材１６１が第２位置で釣糸巻取方向Ｒ１に回転すると、扁平部Ｑ１の一部である第２中間部１６１Ｅが固定部材１６３の傾斜面１６３Ａに当接し、その後、傾斜面１６３Ａを登っていく。これにより、移動部材１６１が第１位置に向けて（前方）に移動する。このように、固定部材１６３は、第２位置で回転する移動部材１６１の第２中間部１６１Ｅ（当接部）が当接し、当接した移動部材を第１位置に向けて移動させる。なお、第２中間部１６１Ｅの傾斜面１６３Ａに当接する部分（幅方向端部）は曲面になっており、これにより、第２中間部１６１Ｅは傾斜面１６３Ａ上をスムーズに移動する（登る）。第２中間部１６１Ｅが、当該傾斜面１６３Ａをある程度登り、死点位置を超えると、それまで糸開放姿勢に付勢していたトグルバネ装置１６２は、揺動して、その付勢方向を糸巻取姿勢側に切り換え、これにより、ベールアーム１５０を揺動させ、ベールアーム１５０を糸開放姿勢から糸巻取姿勢に戻す。このように、トグルバネ装置１６２は、移動部材１６１が第１位置に向けて移動し、ある位置を超えて第１位置に近づいたときに、ベールアーム１５０を糸開放姿勢から糸巻取姿勢に戻す（リターンさせる）。
【００４７】
（実施の形態上の効果）
以下、実施の形態上の効果を説明する。なお、後述の従来の移動部材は、扁平部Ｑ１が設けられておらず、そのすべてが円柱部Ｐ１を移動部材１６１のように屈曲させた形状を有する。つまり、従来の移動部材は、円柱部Ｐ１のみから形成された、第１端部・・・第２中間部・・・第２端部の各部を有する。
【００４８】
ベールアーム１５０を糸巻取姿勢から糸開放姿勢に変化させ、移動部材１６１を第１位置から第２位置に移動させる際、上述のように、第２端部１６１Ｉが制動部材１１５の突出部１１５Ｃに当たることがある。これにより、移動部材１６１には力が作用する。ここでは、第２端部１６１Ｉよりも第３中間部１６１Ｇの方が長いため、前記の力の作用により、第２端部１６１Ｉから第３中間部１６１Ｇが、第３屈曲部１６１Ｆを支点として、一体で、矢印Ｒ４のように第１中間部１６１Ｃ側に傾倒しようとする。換言すると、移動部材１６１には、第３屈曲部１６１Ｆをさらに屈曲させようとする力が働く。本実施の形態では、第３屈曲部１６１Ｆが、第２中間部１６１Ｅ及び第３中間部１６１Ｇが延びる面方向に幅広な（つまり、前記屈曲させようとする力に抗する方向に幅広な）扁平部Ｑ１により形成されている。従って、前記の力が働いても、第３屈曲部１６１Ｆは屈曲（変形）し難く、移動部材１６１は変形し難い。従来の移動部材は、第３屈曲部が円柱を屈曲させた形状であるので、前記の力により変形しやすかった。仮にこのような変形が生じると、移動部材が第２位置にあっても、第２端部が制動部材１１５に係合できない不都合が生じる。この実施の形態では、扁平部Ｑ１により、このような不都合が生じにくくなっている。
【００４９】
移動部材１６１の第２中間部１６１Ｅは、固定部材１６３の傾斜面１６３Ａを登るので、摩耗することがある。従来の第２中間部は、円柱形状なので、当該摩耗により細くなりすぎ、細くなったあとの固定部材１６３との接触、又は、細くなったあとに作用する前記の力等により、変形しやすい。この実施の形態では、移動部材１６１の第２中間部（当接部）１６１Ｅが、前後方向に幅広な扁平部Ｑ１で形成されている。従って、第２中間部１６１Ｅが多少摩耗しても細くなりすぎない（特に、従来のものより細くなることがない）。従って、移動部材１６１は、固定部材１６３との接触によって摩耗しても、変形し難い。特に、移動部材１６１は、固定部材１６３との接触によって従来と同じだけ摩耗しても、従来よりも変形し難い。
【００５０】
また、従来の移動部材を軽量化又は小型化のために細くしたりすると、従来の移動部材は、円柱形状を屈曲させた形状であるため、前記のような変形が起こりやすくなってしまう。この実施の形態のように、必要な部分を扁平部Ｑ１とすることで、移動部材１６１全体を前記軽量化又は小型化したとしても（例えば、円柱部Ｐ１を細くしたとしても）、前記のような変形を起こりにくくすることができる。このように、扁平部Ｑ１を採用することで、移動部材１６１の軽量化又は小型化と、前記の変形に対する剛性の確保と、を同時に達成できる。なお、扁平部Ｑ１は、幅広な分、円柱部Ｐ１よりも平らであるので、扁平部Ｑ１自体が重くなってしまうことも防止される。つまり、扁平部Ｑ１を円柱部Ｐ１よりも平らにしない場合（厚みが同じで幅広とする場合）よりも、移動部材１６１を軽量にできる。また、扁平部Ｑ１が、幅広な分、円柱部Ｐ１よりも平らであることにより、移動部材１６１の重心が扁平部Ｑ１側に偏ることを防止できる。
【００５１】
（変形例）
本発明は、上述した実施の形態に限定されるわけではなく、上記実施の形態を変更したものも本発明の範囲に含まれる。特に、各部材の形状、配置等は、適宜変更可能である。さらに、上述した実施の形態について以下のような変形を適用してもよい。なお、以下の変形例において、同等のもの、対応するものについては、同じ符号を付して説明する。
【００５２】
（変形例１）
移動部材１６１の円柱部Ｐ１及び扁平部Ｑ１の範囲は、適宜変更可能である。例えば、図６の移動部材２６１のように、第１中間部１６１Ｃの途中から、第３中間部１６１Ｇの途中までの部分を扁平部Ｑ２（説明は、上記扁平部Ｑ１を参照）とし、残りの部分を円柱部Ｐ２（説明は、上記円柱部Ｐ１を参照）としてもよい。
【００５３】
第３屈曲部１６１Ｆが扁平部Ｑ１になっていると、当該第３屈曲部１６１Ｆは、上述のように第２端部１６１Ｉが制動部材１１５の突出部１１５Ｃに当たったとしても変形し難い。この場合、第２端部１６１Ｉが突出部１１５Ｃに当たったときに作用する力により、第２端部１６１Ｉから第２中間部１６１Ｅが一体で矢印Ｒ５のように第１中間部１６１Ｃ側に傾倒しようとすることがある。換言すると、移動部材２６１には、第２屈曲部１６１Ｄをさらに屈曲させようとする力が働くことがある。本変形例１では、第２屈曲部１６１Ｄが、第２中間部１６１Ｅ及び第３中間部１６１Ｇが延びる面方向に幅広な（つまり、前記屈曲させようとする力に抗する方向に幅広な）扁平部Ｑ２により形成されている。従って、前記の力が働いても、第２屈曲部１６１Ｄは屈曲（変形）し難く、移動部材２６１は変形し難い。仮に第２屈曲部１６１Ｄが屈曲すると、移動部材２６１が第２位置にあっても、第２中間部１６１Ｅが固定部材１６３に当接できない、又は、第２中間部１６１Ｅが固定部材１６３の傾斜面１６３Ａを登る距離が短く死点位置を超えられない（ベールアーム１５０の姿勢を切り換えられない）といった不都合が生じる。この実施の形態では、扁平部Ｑ２により、このような不都合が生じ難くなっている。
【００５４】
また、ユーザが糸巻取姿勢のベールアーム１５０を操作して糸開放姿勢に変更しようと操作したときに、ベールアーム１５０の回転位置によっては、移動部材２６１の第２中間部１６１Ｅが固定部材１６３に突き当たってしまうことがある。この場合、前記の突き当たりにより、上記と同様に、第２端部１６１Ｉから第２中間部１６１Ｅが一体で矢印Ｒ５のように傾倒しようとする。換言すると、移動部材２６１には、第２屈曲部１６１Ｄをさらに屈曲させようとする力が働く。上述のように、本変形例１では、第２屈曲部１６１Ｄが、扁平部Ｑ２により形成されているので、前記の力が働いても、前記と同様、第２屈曲部１６１Ｄは屈曲（変形）し難く、移動部材２６１は変形し難い。さらに、上記不都合も生じにくくなっている。
【００５５】
（変形例２）
図７に示すような移動部材３６１を採用してもよい。移動部材３６１では、第２屈曲部１６１Ｄ及び第３屈曲部１６１Ｆが扁平部Ｑ３（説明は、上記扁平部Ｑ１を参照）となっており、第２中間部１６１Ｅを含む残りの全部分が円柱部Ｐ３（説明は、上記円柱部Ｐ１を参照）となっている。このような移動部材３６１でも、上記実施の形態及び変形例１と同様に、変形が生じ難い。なお、移動部材３６１を採用する場合、第２中間部１６１Ｅが幅広でない分、例えば、固定部材１６３の高さを前方向に高くする（傾斜面１６３Ａを前方に移動させる）とよい。
【００５６】
（変形例３）
扁平部（説明は、上記扁平部Ｑ１を参照）は、前後方向に直交する直交方向に延びた第１部分（例えば、第２中間部１６１Ｅ）と、前後方向に延びた第２部分（例えば、第１中間部１６１Ｃ又は第３中間部１６１Ｇ）と、に挟まれた、屈曲形状の第３部分（例えば、第２屈曲部１６１Ｄ及び第３屈曲部１６１Ｆ）の少なくとも一部に形成されていればよい。上記で説明したように、移動部材には、前記第３部分をさらに屈曲させる力が働くためである。これにより、第３部分全体を、円柱を屈曲させた形状に形成した場合（例えば、円柱部Ｐ（説明は、上記扁平部Ｑ１を参照）により形成した場合）よりも変形し難い移動部材を得ることができる。移動部材の形状は、適宜変更してもよい（後述の変形例４参照）。また、上記変形例２において、扁平部を、第２屈曲部１６１Ｄと第３屈曲部１６１Ｆとのいずれかのみに設けてもよい。扁平部を、第１屈曲部１６１Ｂと第４屈曲部１６１Ｈとのいずれかに設けてもよい。
【００５７】
扁平部を、少なくとも、第３部分と第１部分とにわたる部分に形成してもよい（上記実施の形態及び変形例１参照）。第３部分と第１部分とにわたる部分とは、第３部分及び第１部分の全部の他、第３部分と第１部分との少なくとも一方については、その途中までであってもよい。例えば、第３部分と第１部分とにわたる部分は、第１部分の途中までの部分であってもよい。扁平部を、少なくとも、第３部分と第２部分とにわたる部分に形成してもよい（上記実施の形態及び変形例１参照）。第３部分と第２部分とにわたる部分とは、第３部分及び第２部分の全部の他、第３部分と第２部分との少なくとも一方については、その途中までであってもよい。例えば、第３部分と第２部分とにわたる部分は、第２部分の途中までの部分であってもよい。これらにより、第１部分又は第２部分も変形し難い移動部材を得ることができる。
【００５８】
（変形例４）
図８の移動部材４６１のように、第３屈曲部１６１Ｆと、第３中間部１６１Ｇと、第４屈曲部１６１Ｈと、第２端部１６１Ｉと、を省略してもよい。この場合、制動部材１１５を上記実施の形態よりも後方に位置するように配置し、移動部材４６１の第２中間部１６１Ｅを、第３屈曲部１６１Ｆ等を省略した分、長くする。そして、第２中間部１６１Ｅの他端（第２屈曲部１６１Ｄに繋がった一端の反対側）は、制動部材１１５の凹部１１５Ｄに入り込むようにしてもよい。このような移動部材４６１では、第２屈曲部１６１Ｄを扁平部Ｑ４（説明は、上記扁平部Ｑ１を参照）とし、残りの部分を円柱部Ｐ４（説明は、上記円柱部Ｐ１を参照）とするとよい。上記同様、移動部材４６１が第１位置から第２位置に移動する際、第２中間部１６１Ｅが制動部材１１５の突出部１１５Ｃに当たる、又は、固定部材１６３に突き当たると、移動部材４６１には、第２屈曲部１６１Ｄをさらに屈曲させようとする力（矢印Ｒ６参照）が働く。第２屈曲部１６１Ｄを、第１中間部１６１Ｃ及び第２中間部１６１Ｅが延びる面方向に幅広な（つまり、前記屈曲させようとする力に抗する方向に幅広な）扁平部Ｑ４で形成していることにより、移動部材４６１は、前記力が働いても変形し難い。扁平部Ｑ４は、例えば、第１中間部１６１Ｃの中間付近から、第２中間部１６１Ｅの途中（凹部１１５Ｄに入り込む部分の手前）までの部分に設けられてもよい。
【００５９】
（変形例５）
固定部材１６３は、傾斜面１６３Ａの代わりに、移動部材１６１が乗り上げる段差を有してもよい。この場合、ベール反転機構１６０は、移動部材１６１が固定部材１６３の前面に当接し、当該段差を乗り上げたときに、ベールアーム１５０の姿勢を糸巻取姿勢に復帰させる。
【００６０】
（変形例６）
扁平部Ｑ１〜Ｑ４の幅の方向（幅広となる方向）は、移動部材１６１の変形を防止できるような向きに設けられればよく、上記実施の形態の方向に限られない。
【００６１】
（変形例７）
扁平部Ｑ１は、円柱部Ｐ１に対して、幅方向に沿って均等に幅広（例えば、段差Ａ１＝段差Ａ２）となっていなくてもよい。例えば、扁平部Ｑ１と円柱部Ｐ１との幅方向における段差Ａ１と段差Ａ２とを異なる長さとする、又は、段差Ａ１又は段差Ａ２のいずれかについて段差無しとしてもよい。扁平部Ｑ１は、円柱部Ｐ１に対して、厚み方向に沿って均等に薄くなっていなくてもよい。例えば、扁平部Ｑ１と円柱部Ｐ１との厚さ方向における段差Ｂ１と段差Ｂ２とを異なる長さとする、又は、段差Ｂ１又は段差Ｂ２のいずれかについて段差無しとしてもよい。このようなことは、扁平部Ｑ２〜Ｑ４、円柱部Ｐ１〜Ｐ４についても同様である。
【符号の説明】
【００６２】
１００  スピニングリール
１１０      リール本体
ＣＳ        筐体
１１１      第１筐体部材
１１２      第２筐体部材
１１３      スプール軸
１１４      筒状部材
１１５      制動部材
１１５Ａ    円筒部
１１５Ｂ    フランジ
１１５Ｃ    突出部
１１５Ｄ    凹部
１２０      ハンドル
１３０      スプール
１４０      ロータ
１５０      ベールアーム
１６０      ベール反転機構
１６１      移動部材
１６１Ａ      第１端部１
１６１Ｂ      第１屈曲部
１６１Ｃ      第１中間部
１６１Ｄ      第２屈曲部
１６１Ｅ      第２中間部（当接部）
１６１Ｆ      第３屈曲部
１６１Ｇ      第３中間部
１６１Ｈ      第４屈曲部
１６１Ｉ      第２端部
Ｐ１〜Ｐ４      円柱部
Ｑ１〜Ｑ４      扁平部
１６２      トグルバネ装置
１６３      固定部材（被当接部）
１６３Ａ      傾斜面
【図１】
2019205360.tif 000003
【図２】
2019205360.tif 000004
【図３】
2019205360.tif 000005
【図４】
2019205360.tif 000006
【図５】
2019205360.tif 000007
【図６】
2019205360.tif 000008
【図７】
2019205360.tif 000009
【図８】
2019205360.tif 000010